(57)【特許請求の範囲】
【請求項１】
一台の熱源機と、この熱源機で発生した温水を温水マット内に循環させて床暖房を行う床暖房装置と、前記熱源機で発生した温水を熱交換器内に循環させて室内暖房を行う室内暖房装置とから成り、更に、前記床暖房装置が単独運転中の場合には、温水を床暖房温度に制御し、室内暖房装置が単独運転中の場合には、温水を室内暖房温度に制御し、床暖房装置と室内暖房装置が同時に運転中の場合には、室内暖房温度に熱源機からの出湯温度を自動制御する構成であって、床暖房装置側への温水の供給は、室内暖房装置と床暖房装置側からの還りラインを熱源機内の熱交換器に至る前で分岐した低温出湯ラインから行い、前記熱源機内の熱交換器から出湯される高温水は高温出湯ラインから行うと共に、この高温出湯ラインを分岐してこの分岐したバイパスラインを前記還りラインにおいて、前記低温出湯ラインが結ばれた位置よりも上流側に接続した構成の温水式床暖房システムにおいて、床暖房装置と室内暖房装置の運転が同時に行われている場合には、前記バイパスラインを経由して室内暖房装置側に供給される高温水の一部を還りラインに混合し、この混合により前記低温出湯ラインから床暖房装置側に床暖房装置単独運転時よりも高温の温水が循環することとなるとき、床暖房装置のコントローラに入力された設定温度により決定される床暖房装置内の温水の循環時間間隔を、床暖房装置単独運転時の温水が循環することを前提に設定された時間間隔よりも長くなるように制御して、時間当りの放熱量を単独運転時に近似させて過暖房となるのを防止する制御を行うに際し、前記低温出湯ラインから床暖房装置に供給される温水の温度と、床暖房装置の設定温度と現在の室温との差から、床暖房装置内に温水が循環する時間間隔を演算し、この値に基づいて床暖房装置内に温水が循環する時間間隔を制御する温水式床暖房システムにおける運転制御方法。
【発明の詳細な説明】
【０００１】
【発明の属する技術分野】
本発明は、温水式床暖房と室内暖房とを一台の熱源機を用いて行うシステムの運転制御方法に関する。
【０００２】
【従来の技術】
温水式床暖房と室内暖房とを一台の熱源機を用いて行うシステムの構成図を図２に示す。この図２において、１は熱源機、２はガスバーナ、３は熱交換器、４はエアコン、５は温水マット、６は８０℃の温水を出湯する高温水ヘッダー、７は６０℃の温水を出湯する低温水ヘッダー、８は還りヘッダーであって、エアコン４は高温水ヘッダー６及び還りヘッダー８と高温水循環回路９で結ばれ、温水マット５は低温水ヘッダー７及び還りヘッダー８と低温水循環回路１０で結ばれている。図中１１は高温出湯ライン１８に取り付けられた高温側サーミスタ、１２は低温出湯ライン１９に取り付けられた低温側サーミスタ、１３はシスターン、１４は循環ポンプ、１５は低温水ヘッダー７に取り付けられた熱動弁、１６は床暖房コントローラ、１７は信号線、２０は還りヘッダー８からシスターン１３を経由して熱交換器３に至る還りライン、２１は高温出湯ライン１８と還りライン２０を結ぶバイパスラインである。
【０００３】
上記システムは、暖房時には、熱源機１から８０℃の温水が高温水ヘッダー６→高温水循環回路９→エアコン４→高温水循環回路９→還りヘッダー８→熱源機１と循環し、床暖房時には、熱源機１から６０℃の温水が低温水ヘッダー７→低温水循環回路１０→温水マット５→低温水循環回路１０→還りヘッダー８→熱源機１と循環する。
【０００４】
また、温水暖房と床暖房が同時に運転している場合には、８０℃で熱源機１を運転し、高温出湯ライン１８からエアコン４側に８０℃の温水を循環させ、一方、この同時運転時には、温水マット５側には、エアコン４及び温水マット５からの還り温水にバイパスライン２１からの８０℃の温水がミキシングされた温水であって、約７０℃に低下した温水を熱交換器３をバイパスする低温出湯ライン１９から給湯してして循環させるようにしている。そして、床暖房コントローラ１６で設定された設定温度に自動制御するための方式として、設定室温と現在の室温との差によって、温水を循環させる時間、例えば２０分間に３分間温水を循環させるというインターバル制御を行っている。なお、この制御は、床暖房運転単独の場合と温水暖房との同時運転の場合とで区別せず、常に設定温度と現在の室温との差で決めている。
【０００５】
【発明が解決しようとする課題】
このように、床暖房時の室温設定の仕方が同時運転時においても変わらないことから、単独運転時の６０℃を前提にして時間を設定しているときに、同時運転で約７０℃の温水が循環すると、循環する温水の温度が高くなった分、過暖房、つまり室温が高くなるという問題がある。
【０００６】
本発明は斯る点に鑑みて提案されるものであって、その目的とするところは、床暖房と室内暖房とが同時に運転されている場合には、床暖房側が設定温度以上に高くなりすぎないように制御する運転制御方法を提案することである。
【０００７】
【課題を解決するための手段】
上記目的を達成するため、請求項１に記載の発明においては、温水式床暖房システムにおける運転制御方法において、一台の熱源機と、この熱源機で発生した温水を温水マット内に循環させて床暖房を行う床暖房装置と、前記熱源機で発生した温水を熱交換器内に循環させて室内暖房を行う室内暖房装置とから成り、更に、前記床暖房装置が単独運転中の場合には、温水を床暖房温度に制御し、室内暖房装置が単独運転中の場合には、温水を室内暖房温度に制御し、床暖房装置と室内暖房装置が同時に運転中の場合には、室内暖房温度に熱源機からの出湯温度を自動制御する構成であって、床暖房装置側への温水の供給は、室内暖房装置と床暖房装置側からの還りラインを熱源機内の熱交換器に至る前で分岐した低温出湯ラインから行い、前記熱源機内の熱交換器から出湯される高温水は高温出湯ラインから行うと共に、この高温出湯ラインを分岐してこの分岐したバイパスラインを前記還りラインにおいて、前記低温出湯ラインが結ばれた位置よりも上流側に接続した構成の温水式床暖房システムにおいて、床暖房装置と室内暖房装置の運転が同時に行われている場合には、前記バイパスラインを経由して室内暖房装置側に供給される高温水の一部を還りラインに混合し、この混合により前記低温出湯ラインから床暖房装置側に床暖房装置単独運転時よりも高温の温水が循環することとなるとき、床暖房装置のコントローラに入力された設定温度により決定される床暖房装置内の温水の循環時間間隔を、床暖房装置単独運転時の温水が循環することを前提に設定された時間間隔よりも長くなるように制御して、時間当りの放熱量を単独運転時に近似させて過暖房となるのを防止する制御を行うに際し、前記低温出湯ラインから床暖房装置に供給される温水の温度と、床暖房装置の設定温度と現在の室温との差から、床暖房装置内に温水が循環する時間間隔を演算し、この値に基づいて床暖房装置内に温水が循環する時間間隔を制御することを特徴とするものである。
【００１３】
【作用】
床暖房装置と室内暖房装置とが同時運転に入ると、熱源機側から床暖房コントローラに信号が入り、運転モードが同時運転モードに切り換わる。コントローラは低温出湯ラインから床暖房装置に供給される温水の温度と設定温度と現在の室温との差から床暖房装置内に循環する温水の時間間隔を演算し、この値で床暖房装置内に循環する温水の時間間隔を制御する。この結果、温水マット内に循環する時間当りの温水の量が減少する。この減少する量は、床暖房装置に供給される温水が６０℃から約７０℃に上昇した約１０℃分の放熱量である。
同時運転が終了した場合には、再び熱源機側から床暖房用コントローラに信号が入力されて、同時運転モードが床暖房単独運転モードに切り換わる。
【００１４】
【発明の実施の形態】
本発明が適用される熱源機は、一個のガスバーナと、熱交換器を所有し、床暖房用と室内暖房用の温水をこの共通のガスバーナーと熱交換器で供給する方式のものである。
【００１５】
床暖房装置及び室内暖房装置は、公知のものである。
但し、従来のシステムにあっては、床暖房及び室内暖房用のコントローラ（リモコン）と熱源機とは、端末→熱源機の一方向であるが、床暖房用にあっては、室内暖房側の運転開始及び終了を感知する必要があるため、双方向通信を可能にしている。
【００１６】
【実施例１】
図１に基づいて本発明の実施例を詳述する。
１は熱源機、２はガスバーナ、３は熱交換器、４はエアコン（室内暖房装置）、５は床暖房用の温水マット、６は高温出湯ライン１８から供給される８０℃の温水を出湯する高温水ヘッダー、７は低温出湯ライン１９から供給される６０℃の温水を出湯する低温水ヘッダー、８は還りヘッダーであって、エアコン４は高温水ヘッダー６及び還りヘッダー８と高温水循環回路９で結ばれ、温水マット５は低温水ヘッダー７及び還りヘッダー８と低温水循環回路１０で結ばれている。図中１１は高温出湯ライン１８に取り付けられた高温側サーミスタ、１２は低温出湯ライン１９に取り付けられた低温側サーミスタ、１３はシスターン、１４は循環ポンプ、１５は低温水ヘッダー７に取り付けられた熱動弁、１６は床暖房コントローラ、１７は信号線、２１は高温出湯ライン１８と低温出湯ライン１９を結ぶバイパスラインである。
【００１７】
上記システムは、暖房時には、熱源機１から８０℃の温水が高温水ヘッダー６→高温水循環回路９→エアコン４→高温水循環回路９→還りヘッダー８→熱源機１と循環し、床暖房時には、熱源機１から６０℃の温水が低温水ヘッダー７→低温水循環回路１０→温水マット５→低温水循環回路１０→還りヘッダー８→熱源機１と循環する。
【００１８】
次に、床暖房装置が単独運転中に室内暖房装置が運転を開始した場合、又は室内暖房装置が運転中に床暖房装置が運転を開始して、床暖房装置と室内暖房装置が同時運転状態になると、熱源機１側から信号線１７を経由して床暖房コントローラ１６側に信号が入力される。床暖房コントローラ１６内の制御回路１６ａは、この信号が入力されると、低温出湯ライン１９から出湯される低温水の温度を低温側サーミスタ１２で検出し、この検出された温度と、設定温度と室内温度との差から温水の循環時間間隔（インターバル）を演算し、運転モードを切り換えて、時間当りの放熱時間を短縮し、この短縮により、６０℃から約７０℃で循環する温水の上昇温度に見合う放熱量を削減し、これにより、同時運転中に床暖房温度が高くなり過ぎるという問題を解消する。そして、室内暖房装置の運転が停止し、同時運転状態ではなくなると、制御回路１６ａは、温水の循環時間間隔を始めに設定した床暖房装置の単独運転モード（時間間隔）に切り換える。
【００１９】
なお、上記実施例において、同時運転時に、温水の循環時間間隔を長く設定すると説明したが、温水が循環している時間を、短く設定するという方法でも制御することができ、実質的には同一である。
【００２０】
このように、本発明は、床暖房装置と室内暖房装置が同時運転に入った場合には、エアコン４側及び温水マット５側からの還り温水と、８０℃の高温水がミキシングされた温水の温度が、常に約７０℃とは限らないので、この還り温水と８０℃の温水がミキシングされた温水の温度を低温側サーミスタ１２で検出し、このサーミスタ１２で検出される温水の温度と、床暖房コントローラ１６に入力された設定温度と、現在の室温との差から、温水マット５内に循環する温水の循環時間間隔又は循環している時間を演算し、この値に基づいて制御するものである。
【００２１】
【発明の効果】
本発明は以上のように、床暖房と室内暖房とが同時運転に入った場合には、床暖房用温水マット内に循環する時間当りの温水の量を、単独運転時に比較して減少させるように制御するので、温水暖房との同時運転時に床暖房温度が高くなりすぎなるという心配がない。
【図面の簡単な説明】
【図１】本発明に係る実施例の説明図。
【図２】従来の温水式床暖房システムの説明図。
【符号の説明】
１  熱源機
２  ガスバーナ
３  熱交換器
４  エアコン
５  温水マット
６  高温水ヘッダー
７  低温水ヘッダー
８  還りヘッダー
９  高温水循環回路
１０  低温水循環回路
１１  高温側サーミスタ
１２  低温側サーミスタ
１３  シスターン
１４  循環ポンプ
１５  熱動弁
１６  床暖房コントローラ
１６ａ  制御回路
１７  信号線
１８  高温出湯ライン
１９  低温出湯ライン
２０  還りライン
２１  バイパスライン
【図１】
0003560271.tif 000002
【図２】
0003560271.tif 000003